(57)【特許請求の範囲】
【請求項１】
音声信号とパケット音声データとを相互に変換する音声データ処理部と、遅延ゆらぎパラメータを記憶するメモリと、前記メモリに記憶した遅延ゆらぎパラメータにしたがって音声信号処理部の再生遅延時間を制御する遅延ゆらぎ制御部からなるインターネット電話サーバと、該インターネット電話サーバを相互に接続するデータネットワークからなるインターネット電話装置において、
前記インターネット電話サーバのうち着信側インターネット電話サーバは、発信側インターネット電話サーバ及び着信側インターネット電話サーバ側から受信した音声信号に含まれるトーン信号から遅延ゆらぎパラメータを抽出し、抽出した遅延ゆらぎパラメータを前記メモリに格納するパラメータ設定処理部を備え、格納した前記遅延ゆらぎパラメータにしたがって前記着信側インターネット電話サーバの遅延ゆらぎパラメータを変更して前記音声データを音声信号に変換することを特徴とするインターネット電話装置。
【発明の詳細な説明】
【０００１】
【発明の属する技術分野】
本発明は、パケット交換技術を用いたデータネットワークを利用して通信を行う電話装置、すなわちインターネット電話装置にかかり、特に音声信号処理部の再生遅延時間を動的に制御することにより、通話形態に合致した再生音声信号を得ることのできるインターネット電話装置に関する。
【０００２】
【従来の技術】
インターネット電話装置は、発信側の電話機の音声信号をインターネット電話サーバでデジタル化し、デジタル化した音声データをデータネットワークを介して着信側のインターネット電話サーバに送信し、着信側のインターネット電話サーバは受信した音声データを音声信号に変換して着信側の電話機に送信する。
【０００３】
このように、インターネット電話装置はデータネットワークを介して音声データを送受信するため、着信側で受信した音声データにはデータ到着時刻の遅延、データ到着時刻のゆらぎ、およびデータの欠落が生じる。
【０００４】
遅延ゆらぎ制御は、前記データ到着時刻のゆらぎを吸収する手段として用いられる。通話中の音声信号の音声品質を向上するためには遅延ゆらぎ制御パラメータを大きくして、定刻に到着した音声データだけでなく遅延して到達したデータをなるべく多く用いて再生するとよい。しかし、遅延して到達したデータを多く用いて再生すると音声再生までに時間を要し、音声の再生遅延時間が大きくなる。
【０００５】
一方、音声再生遅延時間を少なくするためには遅延ゆらぎ制御パラメータを小さくして遅延して到達したデータを少なく用いて再生するとよいが、遅延して到達したデータを少なく用いて再生すると再生音声の品質が悪化する。
【０００６】
このように、再生音声の品質向上と、再生音声の再生遅延時間の減少は相反する関係にある。そして、前記パラメータの設定、すなわち遅延ゆらぎ制御を音声品質優先で行うか、音声の再生遅延時間減少優先で行うかの設定は前記インターネット電話サーバ本体のみで行えるようになっている。
【０００７】
図６は従来のインターネット電話装置を示す図である。図において、３０１は発信側のインターネットサーバ、３０２は発信側の電話機、３０３は発信側の電話網、３０４は発信側のインターネット電話装置の音声データ処理部、３０５は発信側のインターネット電話装置の遅延ゆらぎ制御部であり、発信側インターネット電話サーバが着信側インターネット電話サーバから受信するとき、受信データの到着時刻のゆらぎを吸収する。３０６は発信側のインターネット電話装置の遅延ゆらぎ動作パラメータ記憶部であり、遅延ゆらぎ動作パラメータ、すなわち遅延ゆらぎを吸収するのに必要なバッファメモリ容量を表す動作パラメータを記憶する。３０７は遅延ゆらぎ動作パラメータ記憶部３０６に記憶する動作パラメータを設定する発信側のパラメータ設定処理部である。
【０００８】
３１１は着信側のインターネットサーバ、３１２は着信側の電話機、３１３は着信側の電話網、３１４は着信側のインターネット電話装置の音声データ処理部、３１５は着信側のインターネット電話装置の遅延ゆらぎ制御部であり、着信側インターネット電話サーバが受信するデータの到着時刻のゆらぎを吸収する。３１６は着信側のインターネット電話装置の遅延ゆらぎ動作パラメータ記憶部であり、遅延ゆらぎ動作パラメータを記憶する。３１７は遅延ゆらぎ動作パラメータ記憶部３１６に記憶する動作パラメータを設定する着信側のパラメータ設定処理部である。また、３２１はインターネット電話サーバ３０１および３１１を接続するデータネットワークである。
【０００９】
図６において、発信側のインターネット電話装置の音声データ処理部３０４は、発信側の電話機３０２が発信した音声信号をデータネットワーク３２１に適したパケットデータに変換してデータネットワーク３２１に送出する。
【００１０】
データネットワーク３２１から着信側インターネット電話サーバ３１１に着信したパケットデータは遅延ゆらぎ制御部３１５を介して音声データ処理部３１４に入力する。着信側での音声データにはデータ到着時刻の遅延、データ到着時刻のゆらぎ、およびデータの欠落が生じる。遅延ゆらぎ制御部３１５は前記データ到着時刻のゆらぎを吸収する。着信側のパラメータ設定処理部３１７は遅延ゆらぎ動作パラメータを遅延ゆらぎ動作パラメータ記憶部３１６に設定する。音声データ処理部３１４は遅延ゆらぎ制御部３１５から取得したパケットデータを音声信号に変換し、着信側の電話網３１３を介して着信側の電話機３１２に送出する。
【００１１】
一方、着信側のインターネット電話装置の音声データ処理部３１４は、着信側の電話機が発信した音声信号をデータネットワーク３２１に適したパケットデータに変換してデータネットワーク３２１に送出する。
【００１２】
データネットワーク３２１から着信したパケットデータは遅延ゆらぎ制御部３０５を介して音声データ処理部３０４に入力する。発信側での音声データにはデータ到着時刻の遅延、データ到着時刻のゆらぎ、およびデータの欠落が生じる。遅延ゆらぎ制御部３０５は前記データ到着時刻のゆらぎを吸収する。着信側のパラメータ設定処理部３０７は遅延ゆらぎ動作パラメータを遅延ゆらぎ動作パラメータ記憶部３０６に設定する。音声データ処理部３０４は遅延ゆらぎ制御部３０５から取得したパケットデータを音声信号に変換し、着信側の電話網３０３を介して着信側の電話機３０２に送出する。
【００１３】
図７はインターネット電話サーバにおける音声データ処理を示す図である。図において、矢印ｄは音声データの流れる経路を示し、矢印ｅは遅延ゆらぎ動作パラメータの参照処理経路を示す。なお、図において図６に示される部分と同一部分については同一符号を付してその説明を省略する。
【００１４】
遅延ゆらぎ制御部３０５は遅延ゆらぎ動作パラメータ記憶部３０６を参照して、遅延ゆらぎ動作パラメータを取得する。次いで遅延ゆらぎ制御部３０５はデータネットワーク３２１から音声データを受信すると、前記取得した遅延ゆらぎ動作パラメータにしたがって、受信した音声データに対して遅延ゆらぎ制御を実行して、ゆらぎを抑制した音声データを音声データ処理部に供給する。音声データ処理部は３０４受信した音声データを音声信号に変換して電話網３０３を介して電話機３０２に送出する。
【００１５】
【発明が解決しようとする課題】
前記遅延ゆらぎ制御装置を有するインターネット電話サーバにおいて、遅延ゆらぎ制御部３０５および３１５の遅延ゆらぎ動作パラメータを変更することにより遅延ゆらぎ制御動作を段階的に変更することができる。
【００１６】
しかし、発信側インターネット電話サーバおよび着信側インターネット電話サーバの遅延ゆらぎ動作パラメータの変更は、パラメータ設定処理部を配置したそれぞれのインターネット電話サーバ本体でのみ実施可能である。このため、インターネット電話サーバの近傍にいない通話者は、インターネット電話の通話毎に通話形態に応じた遅延ゆらぎ制御が得られるように動作パラメータを変更することはできない。
【００１７】
したがって、遅延ゆらぎ動作パラメータを音質優先の設定してある場合には、通話中のデータネットワークの状態がよく、データの到着に遅延が少なく十分な再生音質が得られるときにも、遅延した小数のパケットデータの到着を待って音声信号を再生するため、音声再生遅延時間が大きくなって会話が行い難くなる。
【００１８】
逆に、遅延ゆらぎ動作パラメータを再生遅延時間減少優先の設定にしてある場合には、通話中のデータネットワークの状態が悪化したとき、音声品質がさらに悪化して会話が行い難くなる。
【００１９】
また、通常の会話のように音声信号が双方向に交互に通流する場合には、音声再生遅延時間が大きくなると会話が行い難くなる。したがって、遅延ゆらぎ制御は音声再生遅延の減少を優先した方が会話は行いやすい。
【００２０】
一方、天気予報および時報等のガイダンス、あるいはファクシミリのように信号が一方向にのみ通流する場合には、音声再生遅延時間の多少は音声品質に無関係であるため、遅延ゆらぎ制御は音質優先に設定した方がよい。
【００２１】
さらに、ファクシミリのように着信側に通話者が介在しない場合には、発信側から着信側のインターネット電話サーバの遅延ゆらぎ制御動作パラメータを変更できると便利である。
【００２２】
このように、遅延ゆらぎ制御には通話の形態によってそれぞれに最適な遅延ゆらぎパラメータが存在するので、通話者は通話毎に通話形態に最適な値に設定できることが望ましい。
【００２３】
本発明は前記問題点に鑑みてなされたもので、発信側の電話機から通話毎に発信側あるいは着信側のインターネット電話サーバの遅延ゆらぎ動作パラメータの設定が設定可能であり、また、着信側の電話機から通話毎に着信側あるいは発信側のインターネット電話サーバの遅延ゆらぎ動作パラメータが設定可能であるインターネット電話装置を提供する。
【００２４】
【課題を解決するための手段】
本発明は、上記の課題を解決するために次のような手段を採用した。
【００２５】
音声信号とパケット音声データとを相互に変換する音声データ処理部と、遅延ゆらぎパラメータを記憶するメモリと、前記メモリに記憶した遅延ゆらぎパラメータにしたがって音声信号処理部の再生遅延時間を制御する遅延ゆらぎ制御部からなるインターネット電話サーバと、該インターネット電話サーバを相互に接続するデータネットワークからなるインターネット電話装置において、前記インターネット電話サーバのうち着信側インターネット電話サーバは、発信側インターネット電話サーバ及び着信側インターネット電話サーバ側から受信した音声信号に含まれるトーン信号から遅延ゆらぎパラメータを抽出し、抽出した遅延ゆらぎパラメータを前記メモリに格納するパラメータ設定処理部を備え、格納した前記遅延ゆらぎパラメータにしたがって前記着信側インターネット電話サーバの遅延ゆらぎパラメータを変更して前記音声データを音声信号に変換することを特徴とする。
【００２７】
【発明の実施の形態】
図１は本発明の実施形態にかかるインターネット電話装置における発信側が遅延ゆらぎ動作パラメータを設定するために送出したトーンデータの流れを示す図である。図において、１０１は発信側のインターネットサーバ、１０２は発信側の電話機である。電話機１０２はプッシュボタン等を操作して発信側インターネット電話サーバ１０１の遅延ゆらぎ動作パラメータおよび着信側インターネット電話サーバ１０２の遅延ゆらぎ動作パラメータを変更するトーンデータを生成することができる。１０３は発信側の電話網、１０４は発信側のインターネット電話サーバの音声データ処理部、１０５は発信側のインターネット電話サーバの遅延ゆらぎ制御部であり、発信側のインターネット電話サーバ１０１が着信側インターネット電話サーバ１１１から音声データを受信するとき、受信データの到着時刻のゆらぎを吸収する。１０６は発信側のインターネット電話装置の遅延ゆらぎ動作パラメータ記憶部、１０７は発信側のパラメータ設定処理部である。パラメータ設定処理部１０７は発信側電話機１０２が送出したトーンデータを受信して送信側インターネット電話サーバ１０１の遅延ゆらぎ動作パラメータを抽出し、抽出したデータを遅延ゆらぎ動作パラメータ記憶部１０６に記憶する。
【００２８】
１１１は着信側のインターネットサーバ、１１２は着信側の電話機である。電話機１１２はプッシュボタン等を操作して発信側インターネット電話サーバ１０１の遅延ゆらぎ動作パラメータおよび着信側インターネット電話サーバ１１１の遅延ゆらぎ動作パラメータを変更するトーンデータを生成することができる。１１３は着信側の電話網、１１４は着信側のインターネット電話サーバの音声データ処理部、１１５は着信側のインターネット電話サーバの遅延ゆらぎ制御部であり、着信側のインターネット電話サーバ１１１が発信側インターネット電話サーバ１０１から音声データを受信するとき、受信データの到着時刻のゆらぎを吸収する。１１６は着信側のインターネット電話装置の遅延ゆらぎ動作パラメータ記憶部、１１７は着信側のパラメータ設定処理部である。パラメータ設定処理部１１７は発信側電話機１０２が送出したトーンデータを受信して着信側インターネット電話サーバ１１１の遅延ゆらぎ動作パラメータを抽出し、抽出したデータを遅延ゆらぎ動作パラメータ記憶部１１６に記憶する。
【００２９】
１２１はインターネット電話サーバ１０１および１１１を接続するデータネットワークである。
【００３０】
また、矢印ａは送信側インターネット電話サーバ１０１の遅延ゆらぎ動作パラメータの設定を指示するデータの流れを示し、矢印ｂは着信側インターネット電話サーバ１１１の遅延ゆらぎ動作パラメータの設定を指示するデータの流れを示す。
【００３１】
図において、発信側のインターネット電話装置の音声データ処理部１０４は、発信側の電話機が発信した音声信号をデータネットワーク１２１に適したパケットデータに変換してデータネットワーク１２１に送出する。
【００３２】
また、電話機１０２はプッシュボタン等を操作して発信側および着信側インターネット電話サーバ１０１および１１１の遅延ゆらぎ動作パラメータを変更するトーンデータを生成することができる。発信側のパラメータ設定処理部１０７は、電話機１０２が送出したトーンデータを解析して、該データが送信側インターネット電話サーバ１０１の遅延ゆらぎ動作パラメータの設定を指示するデータである場合には、送信側インターネット電話サーバ１０１の遅延ゆらぎ動作パラメータ記憶部に供給して、該記憶部１０６に記憶した動作パラメータを変更する。また、前記データが着信側インターネット電話サーバ１１１の遅延ゆらぎ動作パラメータの設定を指示するデータである場合には、着信側インターネット電話サーバ１１１の遅延ゆらぎ動作パラメータ記憶部１１６に供給して、該記憶部１１６に記憶した動作パラメータを変更する。
【００３３】
前記データネットワーク１２１から着信したパケットデータは着信側インターネット電話サーバ１１１の遅延ゆらぎ制御部１１５を介して音声データ処理部１１４に入力する。着信側において、着信した音声データにはデータ到着時刻の遅延、データ到着時刻のゆらぎ、およびデータの欠落が生じている。
【００３４】
遅延ゆらぎ制御部１１５は前記データ到着時刻のゆらぎを吸収する制御を行う。すなわち、到着したパケットデータを前記遅延ゆらぎ動作パラメータで指定した量になるようにバッファメモリに蓄積した後、所定の読み出し速度で読み出してゆらぎを抑制した音声データを音声データ処理部１１４に供給する。
【００３５】
音声データ処理部１１４は前記遅延ゆらぎ制御部１１５が読み出したデータを音声信号に変換し、着信側の電話網１１３を介して着信側の電話機１１２に送出する。
【００３６】
また、着信側のインターネット電話装置の音声データ処理部１１４は、着信側の電話機が発信した音声信号をデータネットワーク１２１に適したパケットデータに変換してデータネットワーク１２１に送出する。
【００３７】
前記データネットワーク１２１から着信したパケットデータは発信側インターネット電話サーバ１０１の遅延ゆらぎ制御部１０５を介して音声データ処理部１０４に入力する。発信側において、着信した音声データにはデータ到着時刻の遅延、データ到着時刻のゆらぎ、およびデータの欠落が生じている。
【００３８】
遅延ゆらぎ制御部１０５は前記データ到着時刻のゆらぎを吸収する制御を行う。すなわち、到着したパケットデータを前記遅延ゆらぎ動作パラメータで指定した量になるようにバッファメモリに蓄積した後、所定の読み出し速度で読み出してゆらぎを抑制した音声データを音声データ処理部１０４に供給する。
【００３９】
音声データ処理部１０４は前記遅延ゆらぎ制御部１０５が読み出したデータを音声信号に変換し、着信側の電話網１０３を介して着信側の電話機１０２に送出する。
【００４０】
図２は本発明の実施形態にかかるインターネット電話装置における着信側が遅延ゆらぎ動作パラメータを設定するために送出したトーンデータの流れを示す図である。図において矢印ｃは着信側インターネット電話サーバ１０１の遅延ゆらぎ動作パラメータの設定を指示するデータの流れを示し、矢印ｄは発信側インターネット電話サーバ１０１の遅延ゆらぎ動作パラメータの設定を指示するデータの流れを示す。なお、図において図１に示される部分と同一部分については同一符号を付してその説明を省略する。
【００４１】
図において、着信側のインターネット電話装置の音声データ処理部１１４は、着信側の電話機が発信した音声信号をデータネットワーク１２１に適したパケットデータに変換してデータネットワーク１２１に送出する。
【００４２】
また、電話機１１２はプッシュボタン等を操作して発信側および着信側インターネット電話サーバ１０１および１１１の遅延ゆらぎ動作パラメータを変更するトーンデータを生成することができる。着信側のパラメータ設定処理部１１７は、電話機１１２が送出したトーンデータを解析して、該データが着信側インターネット電話サーバ１１１の遅延ゆらぎ動作パラメータの設定を指示するデータである場合には、送信側インターネット電話サーバ１１１の遅延ゆらぎ動作パラメータ記憶部に供給して、該記憶部１１６に記憶した動作パラメータを変更する。また、前記データが送信側インターネット電話サーバ１０１の遅延ゆらぎ動作パラメータの設定を指示するデータである場合には、送信側インターネット電話サーバ１０１の遅延ゆらぎ動作パラメータ記憶部１０６に供給して、該記憶部１０６に記憶した動作パラメータを変更する。
【００４３】
前記データネットワーク１２１から着信したパケットデータは発信側インターネット電話サーバ１０１の遅延ゆらぎ制御部１０５を介して音声データ処理部１０４に入力する。発信側において、着信した音声データにはデータ到着時刻の遅延、データ到着時刻のゆらぎ、およびデータの欠落が生じている。
【００４４】
遅延ゆらぎ制御部１０５は前記データ到着時刻のゆらぎを吸収する制御を行う。すなわち、到着したパケットデータを前記遅延ゆらぎ動作パラメータで指定した量になるようにバッファメモリに蓄積した後、所定の読み出し速度で読み出してゆらぎを抑制した音声データを音声データ処理部１０４に供給する。
【００４５】
音声データ処理部１０４は前記遅延ゆらぎ制御部１０５が読み出したデータを音声信号に変換し、着信側の電話網１０３を介して着信側の電話機１０２に送出する。
【００４６】
また、発信側のインターネット電話装置の音声データ処理部１０４は、発信側の電話機が発信した音声信号をデータネットワーク１２１に適したパケットデータに変換してデータネットワーク１２１に送出する。
【００４７】
前記データネットワーク１２１から着信したパケットデータは着側インターネット電話サーバ１１１の遅延ゆらぎ制御部１１５を介して音声データ処理部１１４に入力する。発信側において、着信した音声データにはデータ到着時刻の遅延、データ到着時刻のゆらぎ、およびデータの欠落が生じている。
【００４８】
遅延ゆらぎ制御部１１５は前記データ到着時刻のゆらぎを吸収する制御を行う。すなわち、到着したパケットデータを前記遅延ゆらぎ動作パラメータで指定した量になるようにバッファメモリに蓄積した後、所定の読み出し速度で読み出してゆらぎを抑制した音声データを音声データ処理部１１４に供給する。
【００４９】
音声データ処理部１１４は前記遅延ゆらぎ制御部１１５が読み出したデータを音声信号に変換し、着信側の電話網１１３を介して着信側の電話機１１２に送出する。
【００５０】
図３は、図１における発信側インターネット電話サーバにおけるパラメータ設定処理部１０７の設定処理を示す図である。
【００５１】
まず、ステップＳ１において、発信側インターネット電話サーバのパラメータ設定部１０７は発信側電話機１０２が発信したトーンデータを受信すると、該トーンデータの解析を行う。
【００５２】
ステップＳ２において、前記解析結果を参照し、前記トーンデータが発信側インターネット電話サーバの遅延ゆらぎ動作パラメータの設定データであるか否かを判別し、発信側インターネット電話サーバの遅延ゆらぎ動作パラメータの設定データである場合にはステップＳ３に進み、そうでない場合にはステップＳ４に進む。
【００５３】
ステップＳ３において、発信側インターネット電話サーバの遅延ゆらぎ動作パラメータを前記設定データで更新して処理を終了する。
【００５４】
ステップＳ４において、前記トーンデータが着信側インターネット電話サーバの遅延ゆらぎ動作パラメータの設定データであるか否かを判別し、着信側インターネット電話サーバの遅延ゆらぎ動作パラメータの設定データである場合にはステップＳ５に進み、そうでない場合には処理を終了する。
【００５５】
ステップＳ５において、着信側インターネット電話サーバの遅延ゆらぎ動作パラメータを前記設定データで更新して処理を終了する。
【００５６】
図４は発信側インターネット電話サーバ１０１から遅延ゆらぎ動作パラメータを受信した着信側インターネット電話サーバ１１１側の遅延ゆらぎ動作パラメータ記憶部の記憶更新処理を示す図である。図に示すようにステップＳ１１において受信した遅延ゆらぎ設定データで設定されているデータで着信側インターネット電話サーバ１１１側の遅延ゆらぎ動作パラメータを更新する。
【００５７】
図５は発信側インターネット電話サーバ１０１がデータネットワーク１２１からパケットデータを受信したときの処理を示す図である。
【００５８】
まず、ステップＳ２１において、発信側インターネット電話サーバ１０１がデータネットワーク１２１からパケットデータを受信すると、発信側インターネット電話サーバ１０１の遅延ゆらぎ制御部１０５は遅延ゆらぎ動作パラメータパラメータ記憶部１０６を参照して、遅延ゆらぎ動作パラメータパラメータを取得する。
【００５９】
ステップＳ２２において、取得した遅延ゆらぎ動作パラメータパラメータにしたがって遅延ゆらぎ処理を実行する。
【００６０】
ステップＳ２３において、音声データ処理部１０４は前記遅延ゆらぎ処理を実行音声データを音声信号に変換して電話網１０３を介して電話機１０２に送出する。
【００６１】
なお、図３ないし図５に関し、発信側インターネット電話サーバが行う発信およびパラメータ設定処理を示したが、着信側インターネット電話サーバが行う発信およびパラメータ設定処理部も同様に行われる。
【００６２】
【発明の効果】
以上説明したように、本発明によれば、通話中に発信側あるいは着信側のインターネット電話サーバの遅延ゆらぎ動作パラメータを設定変更できるようにしたので、通話中にあるいは通話毎にデータネットワークの状況に応じた最適な遅延ゆらぎ制御を行うことができる。
【図面の簡単な説明】
【図１】本発明を実施形態にかかるインターネット電話装置における発信側が送出したトーンデータの流れを示す図である。
【図２】本発明を実施形態にかかるインターネット電話装置における着信側が送出したトーンデータの流れを示す図である。
【図３】インターネット電話サーバにおけるパラメータ設定処理部の設定処理を示す図である。
【図４】インターネット電話サーバにおける遅延ゆらぎ動作パラメータ記憶部の記憶更新処理を示す図である。
【図５】インターネット電話サーバがデータネットワークからパケットデータを受信したときの処理を示す図である。
【図６】従来のインターネット電話装置を示す図である。
【図７】インターネット電話サーバにおける音声データ処理を示す図である。
【符号の説明】
１０１  発信側のインターネットサーバ
１０２  発信側の電話機
１０３  発信側の電話網
１０４  発信側のインターネット電話サーバの音声データ処理部
１０５  発信側のインターネット電話サーバの遅延ゆらぎ制御部
１０６  発信側のインターネット電話サーバの遅延ゆらぎ動作パラメータ記憶部
１０７  発信側のパラメータ設定処理部
１１１  着信側のインターネットサーバ
１１２  着信側の電話機
１１３  着信側の電話網
１１４  着信側のインターネット電話サーバの音声データ処理部
１１５  着信側のインターネット電話サーバの遅延ゆらぎ制御部
１１６  着信側のインターネット電話サーバの遅延ゆらぎ動作パラメータ記憶部
１１７  着信側のパラメータ設定処理部
１２１  データネットワーク
【図１】
0003681568.tif 000002
【図２】
0003681568.tif 000003
【図３】
0003681568.tif 000004
【図４】
0003681568.tif 000005
【図５】
0003681568.tif 000006
【図６】
0003681568.tif 000007
【図７】
0003681568.tif 000008